(57)【要約】  本発明は、たとえば、ＬＴＥセルラー・ネットワークにおけるマルチメディア・ブロードキャスト・マルチキャスト・サービス・アプリケーションにおけるカバレッジの強化のための、セルラー・ネットワークにおけるカバレッジの強化に関する。たとえば、一時的移動体グループ識別子のような、少なくとも２つの識別子が、同じサービスに割り当てられ、そのサービスがＭＢＭＳを通じて繰り返し送信される。
2017532928.tif 000002
【特許請求の範囲】
【請求項１】
−  １つのサービスに第１の識別子を割り当てるステップと、
−  前記同じサービスに少なくとも１つの第２の識別子を割り当てるステップと、
−  前記第１の識別子を送信するステップと、
−  前記少なくとも１つの第２の識別子を送信するステップと、
−  前記第１の識別子に対応する第１の無線ベアラ上で前記サービスを送信するステップと、
−  前記少なくとも１つの第２の識別子に対応する少なくとも１つの第２の無線ベアラ上で前記サービスを送信するステップと、
を備えるセルラー・ネットワークにおけるカバレッジの強化のための方法。
【請求項２】
前記第１の識別子と前記少なくとも１つの第２の識別子が、ブロードキャスト・マルチキャスト・サービス・センターにより、マルチセル／マルチキャスト調整エンティティに提供される、請求項１に記載のセルラー・ネットワークにおけるカバレッジの強化のための方法。
【請求項３】
送信されるセッション開始要求メッセージが、前記第１の識別子と前記少なくとも１つの第２の識別子とを含む、請求項１または２に記載のセルラー・ネットワークにおけるカバレッジの強化のための方法。
【請求項４】
前記マルチセル／マルチキャスト調整エンティティが、前記第１の無線ベアラ上の前記第１の送信のスケジューリングとコンフィグレーションのために前記第１の識別子を使用し、前記第２の無線ベアラ上の第２の送信のために前記少なくとも１つの第２の識別子を使用する、請求項１乃至３のいずれか１項に記載のセルラー・ネットワークにおけるカバレッジの強化のための方法。
【請求項５】
前記第１の識別子を送信するステップと前記少なくとも１つの第２の識別子を送信するステップが、ユーザ・サービス説明情報を用いて実行され、前記少なくとも１つの第２の識別子がＸＭＬ構造の拡張により前記ユーザ・サービス説明情報に含まれる、請求項１乃至５のいずれか１項に記載のセルラー・ネットワークにおけるカバレッジの強化のための方法。
【請求項６】
物理マルチキャスト・チャネル・インフォリストＩＥが、マルチキャスト・ブロードキャスト・マルチメディア・サービス無線ベアラのコンフィグレーションを行うために使用される、請求項１乃至５のいずれか１項に記載のセルラー・ネットワークにおけるカバレッジの強化のための方法。
【請求項７】
前記第１の無線ベアラと前記少なくとも１つの第２の無線ベアラが、異なるマルチキャスト・ブロードキャスト単一周波数ネットワーク・エリアにマッピングされるか、または同一のマルチキャスト・ブロードキャスト単一周波数ネットワーク・エリアであるが、異なる物理マルチキャスト・チャネル上にマッピングされる、請求項１乃至６のいずれか１項に記載のセルラー・ネットワークにおけるカバレッジの強化のための方法。
【請求項８】
前記方法が、マルチメディア・ブロードキャスト・マルチキャスト・サービス・ネットワーク内で実行され、前記第１の識別子が、プライマリの一時的移動体グループ識別子であり、前記少なくとも１つの第２の識別子が、セカンダリの一時的移動体グループ識別子である、請求項１乃至１０のいずれか１項に記載のセルラー・ネットワークにおけるカバレッジの強化のための方法。
【請求項９】
−  １つのサービスに割り当てられた第１の識別子を受信するステップと、
−  前記同じサービスに割り当てられた少なくとも１つの第２の識別子を受信するステップと、
−  前記第１の識別子に対応する第１の無線ベアラ上の第１の送信を受信するステップと、
−  前記少なくとも１つの第２の識別子に対応する少なくとも１つの第２の無線ベアラ上の少なくとも１回の第２の送信を受信するステップと、
を備えるセルラー・ネットワークにおけるカバレッジの強化のための方法。
【請求項１０】
−  前記受信された第１の送信のデータと前記少なくとも１回の第２の送信のデータとを前記受信されたサービスの提供のために組み合わせるステップ
をさらに備える、請求項９に記載のセルラー・ネットワークにおけるカバレッジの強化のための方法。
【請求項１１】
−  前記第１の識別子と前記第２の識別子とを含むセッション開始要求メッセージを受信するステップ
をさらに備える、請求項９または１０に記載のセルラー・ネットワークにおけるカバレッジの強化のための方法。
【請求項１２】
前記第１の識別子を受信するステップと前記少なくとも１つの第２の識別子を受信するステップが、ユーザ・サービス説明情報を受信することにより実行され、前記少なくとも１つの第２の識別子が、ＸＭＬ構造の拡張により前記ユーザ・サービス説明情報に含まれる、請求項９乃至１１のいずれか１項に記載のセルラー・ネットワークにおけるカバレッジの強化のための方法。
【請求項１３】
前記方法が、マルチメディア・ブロードキャスト・マルチキャスト・サービス・ネットワーク内で実行され、前記第１の識別子が、プライマリの一時的移動体グループ識別子であり、前記少なくとも１つの第２の識別子が、セカンダリの一時的移動体グループ識別子である、請求項９乃至１２のいずれか１項に記載のセルラー・ネットワークにおけるカバレッジの強化のための方法。
【請求項１４】
セルラー・ネットワークにおけるベース・ステーションであって、請求項１乃至８のいずれか１項に記載の方法を実行する、ベース・ステーション。
【請求項１５】
セルラー・ネットワークにおけるユーザ機器であって、請求項９乃至１３のいずれか１項に記載の方法を実行する、ユーザ機器。
【発明の詳細な説明】
【技術分野】
【０００１】
本発明は、セルラー・ネットワークにおけるカバレッジの強化、たとえば、ＬＴＥセルラー・ネットワークにおけるマルチメディア・ブロードキャスト・マルチキャスト・サービス（Ｍｕｌｔｉｍｅｄｉａ  Ｂｒｏａｄｃａｓｔ  Ｍｕｌｔｉｃａｓｔ  Ｓｅｒｖｉｃｅ）におけるカバレッジの強化に関する。
【背景技術】
【０００２】
本セクションは、本発明のより良い理解を促進するのに役立つと思われる態様を紹介する。したがって、本セクションの記述は、上記の観点から読まれるべきであり、何が先行技術に含まれるかについて認めるものとして理解されるべきではない。
【０００３】
エンハンスト４Ｇワイヤレス・システムおよび特に将来の５Ｇワイヤレス・システムでは、たとえば、ユーザ機器デバイス（ＵＥ：Ｕｓｅｒ  Ｅｑｕｉｐｍｅｎｔ  ｄｅｖｉｃｅｓ）のような多数のデバイスが、たとえば、ｅＮｏｄｅＢのような基地局のカバレッジ・エリアに存在するようになる。「インターネット・オブ・シングス（Ｉｎｔｅｒｎｅｔ  ｏｆ  Ｔｈｉｎｇｓ）」のパラダイムによって知られるシナリオでは、マシン型通信（ＭＴＣ：Ｍａｃｈｉｎｅ  Ｔｙｐｅ  Ｃｏｍｍｕｎｉｃａｔｉｏｎ）デバイスが特定の用途に使用されるＵＥとなる。そのようなＭＴＣデバイスの一例が、スマート・メータである。多くの場合、これらのデバイスは移動体ではなく、固定された地点に設置される。これらのデバイスのあるものは、高い侵入損失のため、受信される信号の品質が低い場所に位置している。シナリオの一例では、デバイスは建物の地下に位置している。現在、３ＧＰＰは、低コストのマシン型通信デバイスのためのカバレッジの強化を含む仕様の策定に取り組んでいる。最新の技術では、物理チャネルの繰り返し、すなわち、異なる無線リソース上で同一信号を再送することが、マシン型通信ユーザ機器のためのカバレッジ・エリアを強化するソリューションとして考えられている。デバイス単位では、このことは、信号を同一の物理チャネル上でそのデバイスに対し繰り返して送信する必要があるかどうかにより判断される。低信号品質エリアにおけるデバイスは、再送信を要求することができ、信号を受信する機会を複数回得られる。カバレッジの強化を達成するために必要な繰り返しの回数は、たとえば、１００回のように大きく、スペクトル効率を大幅に低下させる。
【０００４】
マルチメディア・ブロードキャスト・マルチキャスト・サービス（ＭＢＭＳ）は、３ＧＰＰにおいて、無線リソース効率の良い方法による一群のユーザ機器に対する同時の通信と定められている。マルチメディア・ブロードキャスト・マルチキャスト・サービスの波形合成特性により、高いスペクトル効率が実現する。たとえば、ソフトウェア更新、メータ報告トリガ、または、たとえば、ガス漏れによる全てのメータの一時的なシャットダウンのような緊急事態に関する重要情報が、マルチメディア・ブロードキャスト・マルチキャスト・サービス送信により一群のマシン型通信デバイスに対し配信される。
【０００５】
図１に、ＬＴＥにおけるマルチメディア・ブロードキャスト・マルチキャスト・サービス（ＭＢＭＳ）アーキテクチャを示す。コンテンツ・プロバイダは、３ＧＰＰネットワークのユーザであり、ＭＢＭＳ送信用のコンテンツを提供する。ＬＴＥにおけるＭＢＭＳアーキテクチャでは、ブロードキャスト・マルチキャスト・サービス・センター（ＢＭ−ＳＣ）が、無線アクセス・ネットワーク（ＲＡＮ：Ｒａｄｉｏ  Ａｃｃｅｓｓ  Ｎｅｔｗｏｒｋ）に対するユーザ・プレーン・メディア配信の処理、ＭＢＭＳ送信の制御、セキュリティおよび課金の面のようなＭＢＭＳシステムの多くの面を制御する。ＢＭ−ＳＣは、ＭＢＭＳにより配信されることが意図される特定のサービスに一時的移動体グループ識別子（ＴＭＧＩ：Ｔｅｍｐｏｒａｒｙ  Ｍｏｂｉｌｅ  Ｇｒｏｕｐ  Ｉｄｅｎｔｉｆｉｅｒ）を割り当てる。ＵＥは、ユーザ・サービス説明情報（ＵＳＤ：Ｕｓｅｒ  Ｓｅｒｖｉｃｅ  Ｄｅｓｃｒｉｐｔｉｏｎ）においてサービスと割り当てられたＴＭＧＩの通知を受け、ＵＳＤは、アプリケーション／サービス層によりＵＥに配信される。
【０００６】
サービスは、ＴＭＧＩにより転送ネットワーク内で識別される。ＢＭ−ＳＣは、セッション開始要求メッセージ（Ｓｅｓｓｉｏｎ  Ｓｔａｒｔ  Ｒｅｑｕｅｓｔ  Ｍｅｓｓａｇｅ）において要求される転送ベアラのクォリティ・オブ・サービス（ＱｏＳ：Ｑｕａｌｉｔｙ  ｏｆ  Ｓｅｒｖｉｃｅ）をＥ−ＵＴＲＡＮに通知する。セッション開始要求メッセージは、Ｅ−ＵＴＲＡＮによるサービスの配信用にＭＢＭＳ無線ベアラ（ＭＲＢ：ＭＢＭＳ  Ｒａｄｉｏ  Ｂｅａｒｅｒ）を確立するために使用される。ＭＲＢは、論理チャネル識別（ＬＣＩＤ：Ｌｏｇｉｃａｌ  Ｃｈａｎｎｅｌ  Ｉｄｅｎｔｉｔｙ）により識別される。ＴＭＧＩにより識別されるそれぞれのＭＢＭＳサービスは、ＭＲＢにマッピングされる。
【０００７】
ＭＢＭＳサービスのユーザ・プレーン・トラフィックは、ＢＭ−ＳＣからＭＢＭＳゲートウェイ（ＭＢＭＳ  ＧＷ）に配信される。ＭＢＭＳ  ＧＷは、Ｍ１インタフェースを介してｅＮｏｄｅＢ（ｅＮＢ）にトラフィックを配信する。
【発明の概要】
【発明が解決しようとする課題】
【０００８】
本発明の目的の１つは、セルラー・ネットワークにおけるカバレッジの強化のための高度な方法とデバイスを提供することである。カバレッジの強化は、送信装置と受信装置との間におけるデータ伝送品質を少なくとも一時的または局所的に改善することと理解される。このことはまた、基地局のカバレッジ・エリアを、劣悪な信号品質しか利用できず、劣悪な信号品質ゆえに従来技術に基づく方法によってデータ受信がほとんど不可能であったり、失敗したりするエリアへと拡大する可能性を含んでいる。本発明の目的の１つは、そのようなエリアにおける信号の受信を改善することおよび信号中で伝送される情報のデコードを可能にすることである。
【課題を解決するための手段】
【０００９】
一実施形態では、たとえば、ＬＴＥネットワークのようなセルラー・ネットワークにおけるカバレッジの強化のための方法が提案されている。この方法は、たとえば、ベース・ステーションもしくはｅＮｏｄｅＢまたは受信したサービスを少なくとも１つの他のデバイスに転送するデバイスのような送信装置において実行される。この方法は、１つのサービスに第１の識別子を割り当てる。
【００１０】
サービスとは、たとえば、ＭＢＭＳまたはｅＭＢＭＳモードによりネットワーク上で提供されるべきＭＢＭＳサービスである。さらに、この方法は、同じサービスに少なくとも１つの第２の識別子を割り当てる。同じサービスとは、同一の情報が送信されることを意味する。この方法は、第１の識別子と少なくとも１つの第２の識別子を、ネットワークを介してユーザ機器に送信する。一実施形態では、第１の識別子と少なくとも１つの第２の識別子の送信先であるユーザ機器は、マシン型通信ユーザ機器である。この方法は、第１の識別子に対応する第１の無線ベアラ上でサービスを送信する。加えて、この方法は、少なくとも１つの第２の識別子に対応する少なくとも１つの第２の無線ベアラ上でサービスを送信する。一実施形態では、無線ベアラは、ＭＢＭＳ無線ベアラである。一実施形態では、第１の無線ベアラと第２の無線ベアラは、異なる無線ベアラである。これには、ＭＢＭＳ送信がチャネル繰り返しと組み合わされるという利点がある。ＭＢＭＳ送信は、スペクトル効率を大幅に改善する。しかしながら、一部のユーザ機器が劣悪な信号品質の影響を受ける場合には、不利となる。この影響は、移動体でないマシン型デバイスの場合、それらのデバイスがより良い信号品質を備えるエリアに移動し、そのエリアでより良い品質の信号を受信する可能性がないため、特に不利になる。一方、チャネル繰り返しは、一見したところ、データが複数回送信されることから、スペクトル効率を低下させる。しかし、チャネル繰り返しは、カバレッジの強化のためのソリューションであるため、有利である。ＭＢＭＳとチャネル繰り返しとを組み合わせることで、スペクトル効率について全体的な改善が達成され、カバレッジが拡大される。上記のようにチャネル繰り返しにより実現されるカバレッジ拡大の恩恵を受けるためには、受信側のユーザ機器がこの方法に適合している必要がある。上記の方法は、上記の方法に適合していないレガシーのユーザ機器も依然として第１の送信を受信し、通常のＭＢＭＳ送信と同じ方法で信号を受信できるというさらなる利点を備えている。したがって、本発明に基づく方法は、カバレッジ強化ユーザ機器（Ｃｏｖｅｒａｇｅ  Ｅｎｈａｎｃｅｄ  Ｕｓｅｒ  Ｅｑｕｉｐｍｅｎｔｓ）にサービスを提供できるだけでなく、同時にカバレッジの強化に適していないユーザ機器は、従来技術に基づくシステムにおける場合と同じサービス水準を享受するという利点を備えている。
【００１１】
一実施形態では、第１の識別子と少なくとも１つの第２の識別子が、ブロードキャスト・マルチキャスト・サービス・センター（ＢＭ−ＳＣ）により、マルチセル／マルチキャスト調整エンティティ（ＭＣＥ：Ｍｕｌｔｉ−ｃｅｌｌ／ｍｕｌｔｉｃａｓｔ  Ｃｏｏｒｄｉｎａｔｉｏｎ  Ｅｎｔｉｔｙ）に提供される。一実施形態では、ネットワーク内に存在するコアネットワーク・ノードまたはアプリケーション・サーバが、第１の識別子と少なくとも１つの第２の識別子をマルチセル／マルチキャスト調整エンティティ（ＭＣＥ）に提供する能力を備えている。一実施形態では、コアネットワーク・ノードまたはアプリケーション・サーバが、アプリケーション層シグナリングまたはブロードキャスト・マルチキャスト・サービス・センターを通じて、第１の識別子と少なくとも１つの第２の識別子をユーザ機器に提供する。
【００１２】
一実施形態では、送信されるセッション開始要求メッセージは、第１の識別子と少なくとも１つの第２の識別子を含んでいる。
【００１３】
一実施形態では、マルチセル／マルチキャスト調整エンティティは、第１の無線ベアラ上の第１の送信のスケジューリングとコンフィグレーションのために第１の識別子を使用し、少なくとも１つの第２の無線ベアラ上の少なくとも１回の第２の送信のために少なくとも１つの第２の識別子を使用する。
【００１４】
一実施形態では、第１の識別子の送信および少なくとも１つの第２の識別子の送信は、ユーザ・サービス説明情報（ＵＳＤ）を用いて実行され、少なくとも１つの第２の識別子は、ＸＭＬ構造の拡張によりユーザ・サービス説明情報に含まれる。
【００１５】
一実施形態では、物理マルチキャスト・チャネル情報リスト（ＰＭＣＨ−インフォリスト：Ｐｈｙｓｉｃａｌ  Ｍｕｌｔｉｃａｓｔ  Ｃｈａｎｎｅｌ  Ｉｎｆｏｒｍａｔｉｏｎ  Ｌｉｓｔ）情報エレメント（ＩＥ：Ｉｎｆｏｒｍａｔｉｏｎ  Ｅｌｅｍｅｎｔ）がＭＢＭＳ無線ベアラのコンフィグレーションを行うために使用される。
【００１６】
一実施形態では、第１の無線ベアラと少なくとも１つの第２の無線ベアラは、異なるマルチキャスト・ブロードキャスト単一周波数ネットワーク（ＭＢＳＦＮ：Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）・エリアにマッピングされるか、または同一のマルチキャスト・ブロードキャスト単一周波数ネットワーク・エリアであるが異なる物理マルチキャスト・チャネル上にマッピングされる。
【００１７】
一実施形態では、この方法は、マルチメディア・ブロードキャスト・マルチキャスト・サービス（ＭＢＭＳ）ネットワーク内で実行され、第１の識別子は、プライマリの一時的移動体グループ識別子（ＴＭＧＩ）であり、少なくとも１つの第２の識別子は、セカンダリの一時的移動体グループ識別子である。
【００１８】
一実施形態では、たとえば、ＬＴＥネットワークのようなセルラー・ネットワークにおけるカバレッジの強化のための方法が提案されている。この方法は、たとえば、ＬＴＥネットワークにおけるユーザ機器デバイス、たとえば、マシン型通信デバイスのような受信デバイスにおいて実行される。１つのサービスに割り当てられた第１の識別子は、デバイスにより受信される。サービスとは、たとえば、ＭＢＭＳまたはｅＭＢＭＳモードによりネットワーク上で提供されるべきＭＢＭＳサービスである。さらに、同じサービスに割り当てられた少なくとも１つの第２の識別子が、デバイスにより受信される。同じサービスとは、同一の情報が送信されることを意味する。ユーザ機器は、第１の識別子に対応する第１の無線ベアラ上の第１の送信を受信する。ユーザ機器が低信号品質のエリア内にある場合、送信は破損するか、または不完全になる場合がある。あるデータは復元可能であるかもしれないし、別のデータは復元可能でないかもしれない。さらに、ユーザ機器は、少なくとも１つの第２の識別子に対応する少なくとも１つの第２の無線ベアラ上の少なくとも１回の第２の送信を受信する。一実施形態では、無線ベアラは、ＭＢＭＳ無線ベアラである。一実施形態では、第１の無線ベアラと第２の無線ベアラは、異なる無線ベアラである。これには、ＭＢＭＳ送信の方法がチャネル繰り返しの方法と統合されるという利点がある。ＭＢＭＳ送信は、スペクトル効率を大幅に改善する。
【００１９】
一実施形態では、受信された第１の送信のデータと少なくとも１回の第２の送信のデータが、受信されたサービスの提供のために組み合わされる。第１の送信のデータが完全であり、かつ破損していない場合であって、かつそれを断定できる場合、受信されたサービスは、第１の送信から完全に復元可能であるため、第２の送信のデータを組み合わせる必要はない。このことは、良好な信号品質が得られる地点において受信デバイスの計算能力、ひいてはバッテリ電力を節約する。
【００２０】
一実施形態では、第１の識別子と第２の識別子を含むセッション開始要求メッセージが受信される。
【００２１】
一実施形態では、第１の識別子の受信および少なくとも１つの第２の識別子の受信は、ユーザ・サービス説明情報の受信により実行され、少なくとも１つの第２の識別子は、ＸＭＬ構造の拡張によりユーザ・サービス説明情報に含まれる。
【００２２】
一実施形態では、この方法はマルチメディア・ブロードキャスト・マルチキャスト・サービス・ネットワーク内で実行され、第１の識別子は、プライマリの一時的移動体グループ識別子であり、少なくとも１つの第２の識別子は、セカンダリの一時的移動体グループ識別子である。
【００２３】
一実施形態では、セルラー・ネットワークにおけるベース・ステーションが提案されている。ベース・ステーションは、上記の方法を実行する。
【００２４】
一実施形態では、セルラー・ネットワークにおけるユーザ機器が提案されている。ユーザ機器は、上記の方法を実行する。
【００２５】
本発明の実施形態のさらなる有利な特徴は、下記の「発明を実施するための形態」において定義され、説明される。
【００２６】
本発明の実施形態に従う装置および方法のいくつかの実施形態は、単なる例示として、添付の図面を参照して、説明されている。
【図面の簡単な説明】
【００２７】
【図１】マルチメディア・ブロードキャスト・マルチキャスト・サービスのアーキテクチャを示す図である。
【図２】本発明に基づくカバレッジの強化のための方法を示す図である。
【発明を実施するための形態】
【００２８】
本説明および図面は、単に本発明の原理を示すものにすぎない。したがって、当業者は、本開示において明示的に説明または提示されていなくても、本発明の原理を具現化し、かつその精神および範囲内に含まれる様々な構成を考案することが可能であると認められる。さらに、本開示において説明されている全ての例は、原則として、本発明の原理および本発明者らによる技術の推進に貢献した概念を読者が理解することを支援するための教示的目的のみを明示的に意図しており、かかる具体的に説明される例および条件に限定することなく解釈すべきものである。加えて、本発明の原理、態様、および実施形態、ならびにこれらの具体的な例を説明する本開示における全ての記述は、これらの均等物を含むことを意図している。
【００２９】
図２は、本発明に基づく方法を示している。ステップ２０において、第１の識別子と少なくとも１つの第２の識別子が、ブロードキャスト・マルチキャスト・サービス・センター（ＢＭ−ＳＣ）により生成される。一実施形態では、ネットワーク内に存在するコアネットワーク・ノードまたはアプリケーション・サーバは、第１の識別子と少なくとも１つの第２の識別子を生成する能力を備えている。ＬＴＥネットワークにおいて、第１の識別子は、第１の一時的移動体グループ識別子であり、少なくとも１つの第２の識別子は、少なくとも１つの第２の一時的移動体グループ識別子である。一般に、一時的移動体グループ識別子は、転送ネットワークを通じて送信されたサービスの識別情報として使用される。１つの一時的移動体グループ識別子に割り当てられたサービスは、ＬＴＥネットワークのＭ１およびＵｕインタフェースを介して１回送信される。第１の識別子は、ステップ２１において１つのサービスに割り当てられる。このサービスは、ネットワークによるブロードキャストにより提供されるＭＢＭＳサービスである。第２の識別子は、ステップ２２において同じサービスに割り当てられる。この文脈において、同じサービスとは、同一の情報がブロードキャストされることを意味する。したがって、厳密に同一の情報が、第１の一時的移動体グループ識別子および少なくとも１つの第２の移動体グループ識別子により伝達される。コンテンツ・レベルでは、このサービスはコーディングについても同一であり、したがって、同一の無変調ビットが情報を記述するために使用される。このことは、同一の無線リソースが使用されることを意味するものではない。したがって、同じサービスとは、サービスを送信するために使用される物理的信号について全く同一であると理解すべきものではない。第１の識別子と少なくとも１つの第２の識別子は、マルチセル／マルチキャスト調整エンティティ（ＭＣＥ）に対し提供される。一実施形態では、ブロードキャスト・マルチキャスト・サービス・センターが、第１の識別子と少なくとも１つの第２の識別子を提供する。一実施形態では、コアネットワーク・ノードまたはアプリケーション・サーバが、第１の識別子と少なくとも１つの第２の識別子を提供する。複数の一時的移動体グループ識別子を同じサービスに割り当てることにより、以下で説明するように、ＬＴＥ  Ｕｕインタフェースを介して同じサービスの送信の繰り返しが実現する。ステップ２３では、第１の識別子が送信される。ステップ２４では、少なくとも１つの第２の識別子が送信される。これらの送信のステップは、サービスにより提供されるべき情報のブロードキャストをセットアップするためのＭＢＭＳデータ送信の脈絡の中で、基地局またはｅＮｏｄｅＢにより実行される。図２においてステップ２５として示されるとおり、一実施形態では、第１の識別子と少なくとも１つの第２の識別子が一斉にブロードキャストされる。ステップ２５は、これがステップ２３および２４を実現する他の既存の可能性を超越する１つの可能性であることを示すため、破線が引かれている。一実施形態では、ＬＴＥにおいて定義されるセッション開始要求メッセージが、第１の識別子と少なくとも１つの第２���識別子を送信するために使用される。一実施形態では、ユーザ・サービス説明情報が、第１の識別子と少なくとも１つの第２の識別子を送信するために使用され、ユーザ・サービス説明情報のＸＭＬ構造が、少なくとも１つの第２の識別子を含むように拡張される。ステップ２６において、ユーザ機器は、第１の識別子を受信する。ステップ２７において、ユーザ機器は、第２の識別子を受信する。図２においてステップ２５として示されるとおり、一実施形態では、第１の識別子と少なくとも１つの第２の識別子が一斉にブロードキャストされる。その後、ステップ２８において、ユーザ機器は、一斉にブロードキャストされた第１の識別子と少なくとも１つの第２の識別子を受信する。ステップ２８は、これがステップ２６および２７を実現する他の既存の可能性を超越する１つの可能性であることを示すため、破線が引かれている。一実施形態では、ＬＴＥにおいて定義されるセッション開始要求メッセージが、第１の識別子と少なくとも１つの第２の識別子を送信するために使用される。ユーザ機器は、ステップ２８においてセッション開始要求メッセージを受信し、そこから第１の識別子と少なくとも１つの第２の識別子を引き出す。一実施形態では、ユーザ・サービス説明情報が、第１の識別子と少なくとも１つの第２の識別子を記述するために使用され、ユーザ・サービス説明情報のＸＭＬ構造が、少なくとも１つの第２の識別子を含むように拡張される。ステップ２９において、ｅＮｏｄｅＢによる最初の送信としてサービスが送信される。たとえば、第１の一時的移動体グループ識別子のような第１の識別子が、サービスの最初の送信のスケジューリングとコンフィグレーションのために、マルチセル／マルチキャスト調整エンティティにより使用される。最初の送信は、ＭＢＭＳ無線ベアラにマッピングされ、対応するマルチキャスト・ブロードキャスト単一周波数ネットワーク上で送信される。ＭＢＭＳ無線ベアラとは、ＭＢＭＳデータを転送するために基地局、ｅＮｏｄｅＢまたは無線ネットワーク制御装置（ＲＮＣ：Ｒａｄｉｏ  Ｎｅｔｗｏｒｋ  Ｃｏｎｔｒｏｌｌｅｒ）とユーザ機器との間に確立されるデータ・ベアラを指す。ステップ３０において、ユーザ機器は、第１の識別子に対応するＭＢＭＳ無線ベアラ上のサービスの最初の送信を受信する。サービスは、受信するユーザ機器が位置する地点における信号品質によっては、完全に受信される場合もあり、されない場合もある。ステップ３１において、ｅＮｏｄｅＢは、同じサービスを繰り返し送信として送信する。たとえば、少なくとも１つの第２の一時的移動体グループ識別子のような少なくとも１つの第２の識別子が、同じサービスの少なくとも１回の繰り返し送信のコンフィグレーションのためにマルチセル／マルチキャスト調整エンティティにより使用される。少なくとも１回の繰り返し送信は、少なくとも１つの第２の一時的移動体グループ識別子に対応するＭＢＭＳ無線ベアラにマッピングされ、対応するマルチキャスト・ブロードキャスト単一周波数ネットワーク上で送信される。一実施形態では、物理マルチキャスト・チャネル情報リスト情報エレメント（ＰＭＣＨ−インフォリストＩＥ）が、たとえば、一時的移動体グループ識別子のような識別子により識別されるサービスのためにＭＢＭＳ無線ベアラのコンフィグレーションを行うために使用される。したがって、ＰＭＣＨ−インフォリストＩＥは、同じサービスのために複数のＭＢＭＳ無線ベアラのコンフィグレーションを行うために使用される。マルチセル／マルチキャスト調整エンティティは、ＰＭＣＨ−インフォリストＩＥにおいて提供されるコンフィグレーションに基づきサービスの各回の繰り返し送信のコンフィグレーションを行う。したがって、一実施形態では、サービスの最初の送信と繰り返し送信は、異なるマルチキャスト・ブロードキャスト単一周波数ネットワーク・エリアにマッピングされる。一実施形態では、サービスの最初の送信と繰り返しの送信は、同一のマルチキャスト・ブロードキャスト単一周波数ネットワーク・エリア上であるが、異なるＰＭＣＨ上にマッピングされる。一実施形態では、サービスの最初の送信と繰り返しの送信は、同一のマルチキャスト・ブロードキャスト単一周波数ネットワーク・エリア上であり、かつ同一のＰＭＣＨ上にマッピングされる。ステップ３２において、ユーザ機器は、第２の識別子に対応するＭＢＭＳ無線ベアラ上のサービスの繰り返し送信を受信する。ユーザ機器が、たとえば、レガシー・デバイスのような、このカバレッジの強化のための方法をサポートしていないデバイスである場合、ユーザ機器は、ステップ３１において上記のとおりにサービスを受信する。このようなデバイスは、繰り返し送信を受信し、対応する情報を使用する能力を備えておらず、したがって、繰り返し送信を用いて提供される情報の使用および処理を行わない。そのようなユーザ機器は、ステップ３２および３３を実行しない。ユーザ機器が、この方法をサポートしており、かつカバレッジ強化ＭＢＭＳユーザ機器である場合、ユーザ機器は、少なくとも１つの第２の識別子を使用する少なくとも１回の繰り返し送信において最初の送信と同じサービスを少なくとも１回受信する。ステップ３３において、ステップ３０および３２において受信された最初の送信および少なくとも１回の繰り返し送信における情報が、サービスを提供するために組み合わされる。このようにして、サービスの単独のブロードキャストがエラーなしで処理できないおそれがある破損したデータしか提供できない場合がある劣悪な信号品質のエリアにおいて、複数回のデータの繰り返しが受信され、完全な情報を入手し、サービスを提供するために組み合わされる。
【００３０】
一実施形態では、サービスの配信は、ユーザ・プレーン上のＭ１インタフェースを介して実行される。マルチメディア・ブロードキャスト・マルチキャスト・サービスは、少なくとも１つの第２の識別子が同じサービスに割り当てられている事実を明確に認識しているわけではない。マルチメディア・ブロードキャスト・マルチキャスト・サービス・ゲートウェイ（Ｍｕｌｔｉｍｅｄｉａ  Ｂｒｏａｄｃａｓｔ  Ｍｕｌｔｉｃａｓｔ  Ｓｅｒｖｉｃｅ  Ｇａｔｅｗａｙ）は、Ｍ１インタフェースを介してｅＮｏｄｅＢにユーザ・プレーン・トラフィックを単に配信するだけであり、サービスは、第１の識別子を使用して識別される。ｅＮｏｄｅＢは、マルチセル／マルチキャスト調整エンティティからサービスの繰り返し送信のためのＭＢＭＳ無線ベアラのコンフィグレーションを受信する。ｅＮｏｄｅＢは、Ｕｕインタフェースを介した繰り返し送信のためのＭＢＭＳ無線ベアラのコンフィグレーションに基づき、Ｍ１インタフェースを介して受信されたユーザ・プレーン・トラフィックのスケジューリングと送信を行う。
【００３１】
一切の機能ブロックを含む、図面に示された様々な要素の機能は、専用のハードウェアならびに適切なソフトウェアと連係してソフトウェアを実行する能力を有するハードウェアの使用を通じて提供することができる。プロセッサにより提供される場合、単独の専用プロセッサ、単独の共用プロセッサ、または一部が共用されている場合がある複数の個別プロセッサにより、機能を提供することができる。さらに、以下に限られないが、デジタル・シグナル・プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェア記憶用読取専用メモリ（ＲＯＭ）、ランダム・アクセス・メモリ（ＲＡＭ）、および非揮発性記憶装置により、機能を提供することができる。その他の従来型および／またはカスタムのハードウェアもまた、含まれる場合がある。
【図１】
2017532928.tif 000003
【図２】
2017532928.tif 000004
【国際調査報告】
2017532928.tif 000005
2017532928.tif 000006